(57)【要約】【課題】収納物の排出性を良好としつつ、排出時の安全性を確保すると共に、吊上げ時における耐荷重性も確保することのできるフレキシブルコンテナを提供する。【解決手段】収納物３０を収納する袋体１８に吊下げ手段を備えたフレキシブルコンテナ１０であって、袋体１８の１側面に開閉自在な面ファスナー２４を具備し、前記吊下げ手段は、面ファスナー２４を有する開放側面１４ａに備えられた第１のベルト２０と、開放側面１４ａに対向配置された非開放側面１４ｃに備えられた第２のベルト２２から成り、第２のベルト２２を吊上げると面ファスナー２４が開放されることを特徴とする。【選択図】図１
2019116304.tif 000002
【特許請求の範囲】
【請求項１】
収納物を収納する袋体に吊下げ手段を備えたフレキシブルコンテナであって、
前記袋体の１側面に開閉自在な接続部を具備し、
前記吊下げ手段は、前記接続部を有する開放側面に備えられた第１のベルトと、前記開放側面に対向配置された非開放側面に備えられた第２のベルトから成り、
前記第２のベルトを吊上げると前記接続部が開放されることを特徴とするフレキシブルコンテナ。
【請求項２】
前記第１のベルトが、前記第２のベルトよりも短いことを特徴とする請求項１に記載のフレキシブルコンテナ。
【請求項３】
前記第２のベルトは、前記袋体の底面に固定されると共に、
少なくとも前記非開放側面の上半部には固定されていないことを特徴とする請求項１または２に記載のフレキシブルコンテナ。
【請求項４】
前記接続部には、面ファスナーが設けられていることを特徴とする請求項１乃至３のいずれか１項に記載のフレキシブルコンテナ。
【発明の詳細な説明】
【技術分野】
【０００１】
本発明は、建設現場などにおいて、廃棄物の集積に使用されるフレキシブルコンテナに関する。
【背景技術】
【０００２】
従来、建設現場などにおける廃棄物の集積には、大型コンテナを用いる事が主流であった。しかし近年では、廃棄物の多品目分別が実施されていることより、１ｍ３程度の大きさのフレキシブルコンテナが多く使用され、廃棄物を分別して収納し、処理施設や工場へ随時搬出するといった方法が主流となってきている。
【０００３】
このように利用されるフレキシブルコンテナは、樹脂シートや布地素材で直方体に近い形状の袋体に形成されている。廃棄物等の収納は、袋体の上部に設けた開口を利用し、開口の縁部には、逆Ｕ字状に固定された吊ベルトが備えられている。また、袋体の下部には、反転ベルトが備えられ、これをクレーン等で吊り上げることで、収納した廃棄物等の排出を行うことができる。
【０００４】
このような構成のフレキシブルコンテナでは、搬送時に使用する吊ベルトから、反転ベルトへの掛け替え等の作業を含む収納物の排出作業に手間がかかるといった事や、袋体であるがために、収納物が内部で引っかかり、排出されにくいといった事などの問題がある。さらに、袋体に振動を与えるなどして、内部に引っかかった収納物を取り出す際には、重量物が一度に落下する場合があるなど、安全面での問題も指摘されている。
【０００５】
そうした背景の下、特許文献１や特許文献２に開示されているような、袋体の下面に、排出用の開閉部を備えたフレキシブルコンテナが提案されている。また、特許文献３には、矩形状に形成された底面の四辺に、いずれも展開可能な側面素材を接続したフレキシブルコンテナが開示されている。なお、特許文献３に開示されているフレキシブルコンテナにおいて側面素材の締結には、紐や面ファスナーを用いる事が示されている。
【先行技術文献】
【特許文献】
【０００６】
【特許文献１】特開平８−２６８４９２号公報
【特許文献２】特開２０１４−１０８８３０号公報
【特許文献３】特開２００２−３２６６６３号公報
【発明の概要】
【発明が解決しようとする課題】
【０００７】
特許文献１、２に開示されているような、袋体の下面に開閉部が備えられているフレキシブルコンテナによれば、収納物の排出を行う際に、フレキシブルコンテナを反転させるといった作業を行う必要が無い。このため、収納物の排出作業を簡易かつ迅速に行う事ができると考えられる。しかし、このような構成のフレキシブルコンテナでは、収納物が重量物である場合には、開閉部に荷重が集中することにより、落下する危険性がある。また、収納物が比較的小さな切片を有するバラ物である場合には、開閉部の隙間から漏れ出るといった虞もある。
【０００８】
特許文献３に開示されているような構成のフレキシブルコンテナは、側面素材を一部開放することにより、袋体を反転させる事なく収納物を排出することができるようになるが、収納物が何れかの側面側に偏った際には、荷重の集中により、側面が決壊する虞がある。
【０００９】
そこで本発明では、収納物の排出性を良好としつつ、排出時の安全性を確保すると共に、吊上げ時における耐荷重性も確保することのできるフレキシブルコンテナを提供することを目的とする。
【課題を解決するための手段】
【００１０】
上記目的を達成するための本発明に係るフレキシブルコンテナは、収納物を収納する袋体に吊下げ手段を備えたフレキシブルコンテナであって、前記袋体の１側面に開閉自在な接続部を具備し、前記吊下げ手段は、前記接続部を有する開放側面に備えられた第１のベルトと、前記開放側面に対向配置された非開放側面に備えられた第２のベルトから成り、前記第２のベルトを吊上げると前記接続部が開放されることを特徴とする。
【００１１】
また、上記のような特徴を有するフレキシブルコンテナでは、前記第１のベルトが、前記第２のベルトよりも短くなるように構成されている。このような特徴を有する事により、２本のベルトを介してフレキシブルコンテナを吊上げた際、フレキシブルコンテナが非開放側面側に傾く。これにより、収納物が重量物であった場合であっても、開放側面側に重量物が偏り、開放側面が予期せず開放されてしまう事がなくなる。
【００１２】
また、上記のような特徴を有するフレキシブルコンテナにおいて、前記第２のベルトは、前記袋体の底面に固定されると共に、少なくとも前記非開放側面の上半部には固定されていない。このような特徴を有することにより、第２の吊ベルトは、１本のベルトでフレキシブルコンテナを吊上げる際には、離間可能な状態であると共に、２本のベルトで吊上げた際には、非開放側面に接する状態となる。このため、収納物を排出する際、吊りベルトの掛け替えを行う事なく、フレキシブルコンテナの袋体を傾斜、反転させることが可能となる。
【００１３】
また、上記のような特徴を有するフレキシブルコンテナにおいて、前記接続部には、面ファスナーが設けられている。このような特徴を有することにより、開放側面の開放、閉塞を簡易、迅速に行うことが可能となる。
【発明の効果】
【００１４】
上記のような特徴を有するフレキシブルコンテナによれば、収納物の排出性を良好にすることができる。また、収納物を排出する際の安全性を確保・向上させることができる。さらに、吊上げ時における耐荷重性も良好に保つことができる。
【図面の簡単な説明】
【００１５】
【図１】実施形態に係るフレキシブルコンテナにおいて、開放側面を開放した状態を示す斜視図である。
【図２】実施形態に係るフレキシブルコンテナに対し、収納物を収納した状態を示す斜視図である。
【図３】実施形態に係るフレキシブルコンテナの仮固定部を構成する面ファスナーの変形形態の一例を示す斜視図である。
【図４】実施形態に係るフレキシブルコンテナの構成を示す展開図である。
【図５】実施形態に係るフレキシブルコンテナの使用形態を説明するための図のうち、収納物を収納する段階を示す図である。
【図６】実施形態に係るフレキシブルコンテナの使用形態を説明するための図のうち、収納物を収納したコンテナを移送している状態を示す図である。
【図７】実施形態に係るフレキシブルコンテナの使用形態を説明するための図のうち、フレキシブルコンテナを接地させ、開放側面を開放した状態を示す図である。
【図８】実施形態に係るフレキシブルコンテナの使用形態を説明するための図のうち、第２のベルトを吊上げ、収納物を排出している状態を示す図である。
【図９】実施形態に係るフレキシブルコンテナの使用形態を説明するための図のうち、収納物の排出を完了させる状態を示す図である。
【図１０】フレキシブルコンテナを構成する開放側面に、第１のベルトを収納するポケットを設けた場合の例を示す斜視図である。
【図１１】フレキシブルコンテナを構成する開放側面をロール状に巻き取り、下端側に固定する場合の例を示す斜視図である。
【発明を実施するための形態】
【００１６】
以下、本発明のフレキシブルコンテナに係る実施の形態について、図面を参照して詳細に説明する。なお、以下に示す実施の形態は、本発明を実施する上で好適な形態の一部に過ぎず、各構成要素の形態に部分的な変化を加えたとしても、その機能を発揮し、本発明を実施する上での効果を奏するものであれば、本発明の一部とみなすことができる。
【００１７】
［構成］
本実施形態に係るフレキシブルコンテナ１０は、図１、図２、および図４に示すように、底面１２と、側面（開放側面１４ａ、非開放側面１４ｂ−１４ｄ）、および蓋１６ｂ，１６ｄにより構成される袋体１８を基本とし、袋体１８を吊下するための吊下げ手段（第１のベルト２０、第２のベルト２２）が付帯されている。底面１２、側面（開放側面１４ａ、非開放側面１４ｂ−１４ｄ）、および蓋１６ｂ，１６ｄは、いずれも樹脂シートや布地素材により構成され、縫製や溶着、その他の接合手段により、必要箇所の接合が成されている。なお、図面においては、素材の撓みや柔軟性についての表現を簡略化している。
【００１８】
［非開放側面］
本実施形態に係るフレキシブルコンテナ１０の場合、図４に示す展開図のように、底面１２が、ほぼ矩形に形成されており、底面１２の外周に位置する４辺に、それぞれ側面（開放側面１４ａ、非開放側面１４ｂ−１４ｄ）を構成する素材が接合されている。側面には、１つの開放側面１４ａと、３つの非開放側面１４ｂ−１４ｄが定められている。非開放側面１４ｂ−１４ｄは、袋体１８を構成した際に、対向配置されることとなる一対の非開放側面１４ｂ，１４ｄと、開放側面１４ａの対向位置に配置されることとなる非開放側面１４ｃにより構成され、互いに当接辺が接合されている。なお、図４においては、斜線によるハッチング部分が、接合対象とされる当接辺である。
【００１９】
本実施形態では、対向配置されている非開放側面１４ｂ，１４ｄのそれぞれの上端に、蓋１６ｂ，１６ｄを構成する素材を接合している。蓋１６ｂ，１６ｄを構成する素材は、それぞれ非開放側面１４ｃの幅の半分以上の長さを有するように構成されていると良い。フレキシブルコンテナ１０に収納物３０を入れて上部を蓋１６ｂ，１６ｄにより閉塞した際、２つの蓋１６ｂ，１６ｄの一部が重なることとなる。
【００２０】
［開放側面］
開放側面１４ａには、接続部が設けられている。接続部は、例えば面ファスナー２４により構成することができる。接続部として面ファスナー２４を用いる事により、接続部の開閉（接離）を迅速かつ容易に行う事が可能となる。また、面ファスナー２４を採用する場合には、フック面２４ａとループ面２４ｂを、それぞれ開放側面１４ａと、開放側面１４ａに隣接する非開放側面１４ｂ，１４ｄに配置すると良い。具体的には、フック面２４ａを開放側面１４ａに配置する場合、ループ面２４ｂに対向することとなる部位を開放側面１４ａにおける側辺の外周へ突出させるように配置する。一方、非開放側面１４ｂ，１４ｄに配置するループ面２４ｂは、開放側面１４ａの側辺と当接することとなる外周を基点として内面側へ向けて配置する。
【００２１】
面ファスナー２４をこのような配置形態とする事で、開放側面１４ａを閉塞した際、面ファスナー２４は、フック面２４ａが開放側面１４ａから非開放側面１４ｂ，１４ｄ側へ折り曲げられた状態でループ面２４ｂに接続される。このような接続形態とする事で、開放側面１４ａにかかる力（開放方向の力）は、面ファスナー２４の接続面に対して直交する方向に作用することとなる。このため、高い抵抗力を持たせることができる。一方、面ファスナー２４の切離を行う場合には、フック面２４ａをループ面２４ｂから離間する方向（面方向）へ引っ張れば良いため、小さな力で切離（開放）を行う事が可能となる。このような面ファスナー２４は、開放側面１４ａと非開放側面１４ｂ，１４ｄとの間に、複数個所（図１、図２、図４に示す例では３カ所づつ）設けるようにすると良い。なお、面ファスナー２４を構成するフック面２４ａとループ面２４ｂの配置を逆にした場合でも、面ファスナー２４としての機能に相違は無い。
【００２２】
また、本実施形態に係るフレキシブルコンテナ１０では、開放側面１４ａの下端部には、非開放側面１４ｂ，１４ｄとの接合部が設けられている。荷重が集中する下部に接合部を設けることで、重量物を運搬する際の耐性を高めることができるからである。また、開放側面１４ａの下端部に接合部を設けることで、袋体１８を構成した際における下部形状の安定化を図ることができる。これにより、図示しないメッシュパレット等にフレキシブルコンテナ１０を設置した際、袋体１８の下部がメッシュパレット等の底部から浮き上がり、設置状態が不安定となることを避けることができる。
【００２３】
吊下げ手段は、開放側面１４ａに設けられた第１のベルト２０と、非開放側面１４ｃに設けられた第２のベルト２２により構成されている。本実施形態の場合、第１のベルト２０と第２のベルト２２は、それぞれ底面１２に固定（接合）されている。そして、第１のベルト２０は、開放側面１４ａを介して、開放側面１４ａの上端側に吊り部２０ａを突出させている。また、第２のベルト２２は、非開放側面１４ｃを介して、非開放側面１４ｃの上端側に吊り部２２ａを突出させている。第１のベルト２０と第２のベルト２２は、それぞれ、開放側面１４ａと非開放側面１４ｃに対して、仮固定部２６を介して位置決めされることで、各側面（開放側面１４ａ、非開放側面１４ｃ）に対する接離と、フレキシブルコンテナ１０を吊り上げた際の安定が図れるように構成されている。
【００２４】
仮固定部２６は、例えば面ファスナーなどであれば良い。また、仮固定部２６を面ファスナーとする場合、各ベルト（第１のベルト２０、第２のベルト２２）に対して接離可能なフック面、あるいはループ面を各側面に設けるようにすれば良い。なお、図３に示すように、フック面とループ面が対を成す面ファスナーの間に、各ベルトを挟み込むようにしても良い。このような構成の仮固定部２６を各側面の上端側に設けることで、フレキシブルコンテナ１０を吊り上げた際のバランスをとることができる。
【００２５】
［吊り部］
吊り部２０ａ，２２ａは、開放側面１２ａと非開放側面１４ｃにおけるそれぞれの上端から、逆Ｕ字状に突出するように構成されている。このような構成とすることで、Ｕ字状の部分にフック４０（図６−図９参照）を引っかけて、フレキシブルコンテナ１０を吊り上げることができるようになる。本実施形態のフレキシブルコンテナ１０では、第１のベルト２０における吊り部２０ａの長さＬ１が、第２のベルト２２における吊り部２２ａの長さＬ２よりも短くなるように構成されている。
【００２６】
吊り部２０ａの長さＬ１を吊り部２２ａの長さＬ２よりも短くする事で、フレキシブルコンテナ１０を吊り上げた際、フレキシブルコンテナ１０が非開放側面１４ｃ側に傾くこととなる。面ファスナー２４等の接続部で閉塞状態とされている開放側面１４ａは、縫製や溶着等により接合されている非開放側面１４ｂ−１４ｄよりも耐荷重性が低い。このため、フレキシブルコンテナ１０を非開放側面１４ｃ側に傾けることで、収納物３０が開放側面１４ａ側に偏ることを避けることができる。これにより、収納物３０が重量物であった場合でも、開放側面１４ａが意図せず開放されてしまう事を避けることができる。
【００２７】
［使用形態］
次に、上記のような構成のフレキシブルコンテナ１０による資材の収納から搬送、および排出について、図５から図９を参照して説明する。まず、図５に示すように、袋状にしたフレキシブルコンテナ１０に、資材や廃棄物等の収納物３０を入れる。ここで、フレキシブルコンテナ１０は、図示しないメッシュパレットなどにセットする事で、形状維持を図るようにしても良い。
【００２８】
次に、図６に示すように、フレキシブルコンテナ１０の蓋１６ｂ，１６ｄを閉め、第１のベルト２０の吊り部２０ａと、第２のベルト２２の吊り部２２ａをそれぞれ、吊り上げ手段としてのクレーンなどのフック４０に引っかける。そして、フレキシブルコンテナ１０を吊り上げる。この時、フレキシブルコンテナ１０の吊上げ姿勢は、吊り部２０ａの長さＬ１と吊り部２２ａの長さＬ２の違いにより、非開放側面１４ｃ側に傾いた状態となる。
【００２９】
フレキシブルコンテナ１０を搬送位置まで移送した後、図７に示すように、フレキシブルコンテナ１０を接地させ、第１のベルト２０における吊り部２０ａをフック４０から外す。そして、開放側面１４ａを閉塞させている接続部である面ファスナー２４を離間させ、開放側面１４ａを開放する。
【００３０】
開放側面１４ａを開放した後、図８に示すように、フック４０により第２のベルト２２の吊り部２２ａを引き上げる。ここで、第２のベルト２２を仮に固定する仮固定部２６（例えば面ファスナー：図４参照）の解除は、予め人手により行うものであっても、フレキシブルコンテナ１０の重量と、フック４０による引上げ力の反作用を利用するものであっても良い。非開放側面１４ｃから離間した第２のベルト２２は、底面１２に固定されているため、第２のベルト２２が引き上げられる事に伴い、フレキシブルコンテナ１０を構成する袋体１８が、開放側面１４ａ側に傾くこととなる。開放側面１４ａが開放状態にある袋体１８が傾斜することにより、収納物３０である資材等は、袋体１８の開放部分から外部へ排出されることとなる。
【００３１】
図８に示す状態から、さらにフック４０を上昇させて第２のベルト２２を吊り上げることにより、フレキシブルコンテナ１０の袋体１８は、図９に示すように、９０度を超える範囲で傾くこととなる。これにより、内部に収納されていた資材等の収納物３０は、全て排出されることとなり、排出工程が完了する。
【００３２】
［効果］
上記のような構成のフレキシブルコンテナ１０によれば、袋体１８の一側面に開放部を備える構成としたことより、収納物３０の排出性を良好とすることができる。また、開放側面１４ａに設けられた第１のベルト２０の吊り部２０ａを非開放側面１４ｃに設けられた第２のベルト２２の吊り部２２ａよりも短くしたことで、フレキシブルコンテナ１０を吊り上げた際、収納物３０が開放側面１４ａ側に偏る事がなくなる。これにより、吊り上げ時における耐荷重性も確保することができる。
【００３３】
また、袋体１８の側面に設けた開放部から収納物３０を排出する構成としているため、排出時の安全性も高めることができる。さらに、非開放側面１４ｃに設けた第２のベルト２２を底面１２に固定し、非開放側面１４ｃから離間可能な構成としたことより、第２のベルト２２を吊り上げるだけで、袋体１８を傾斜、反転させることが可能となる。これにより、ベルトの掛け替えや、フレキシブルコンテナ１０を高い位置に持ち上げるといった必要がなくなり、収納物３０が高所から落下するといった危険を避けることもできる。
【００３４】
［変形例］
上記実施形態では、接続部や仮固定部２６の一例として、面ファスナーを採用する旨記載した。しかしながら、面ファスナーに替えて接続部や仮固定部２６に、紐を採用するようにしても良い。簡易に開放、と閉塞を行うという点で、その機能に相違がないからである。
【００３５】
上記実施形態の説明において、収納物３０を排出する工程を説明するための図８では、第１のベルト２０は、地面に垂らされた状態で収納物３０の下敷きになるように示している。しかしながら、第１のベルト２０が収納物３０の下敷きになる事が好ましくない場合には、フック４０から外した第１のベルト２０を開放側面１４ａに収納するようにしても良い。この場合、例えば図１０に示すように、開放側面１４ａに、ポケット２８などの収納部を設けるようにすれば良い。
【００３６】
また、図１１に示すように、開放側面１４ａ自体も、ロール状に巻き取り、底面１２側に設けた非開放側面１４ｂ，１４ｄとの接合部に固定しておくことで、収納物３０を排出する際に、下敷きになる事を避けることができる。なお、ロール状に巻き取った開放側面１４ａの固定は、非開放側面１４ｂ，１４ｄの対応箇所に面ファスナー２４などを設けるようにし、これを係合すれば良い。
【００３７】
また、上記実施形態では、収納物３０を排出する際、予め開放側面１４ａを開放した後、第２のベルト２２を吊上げる旨記載した。しかしながら、第１のベルト２０の吊り部２０ａをフック４０から外した後、第２のベルト２２のみを吊上げることで、収納物３０の重量を開放側面１４ａに作用させることで開放を促すようにしても良い。
【符号の説明】
【００３８】
１０………フレキシブルコンテナ、１２………底面、１４ａ………開放側面、１４ｂ，１４ｃ，１４ｄ………非開放側面、１６ｂ，１６ｄ………蓋、１８………袋体、２０………第１のベルト、２０ａ………吊り部、２２………第２のベルト、２２ａ………吊り部、２４………面ファスナー、２４ａ………フック面、２４ｂ………ループ面、２６………仮固定部、２８………ポケット、３０………収納物、４０………フック。
【図１】
2019116304.tif 000003
【図２】
2019116304.tif 000004
【図３】
2019116304.tif 000005
【図４】
2019116304.tif 000006
【図５】
2019116304.tif 000007
【図６】
2019116304.tif 000008
【図７】
2019116304.tif 000009
【図８】
2019116304.tif 000010
【図９】
2019116304.tif 000011
【図１０】
2019116304.tif 000012
【図１１】
2019116304.tif 000013